(57)【要約】【課題】圃場全体に平均して液体肥料を供給することができる液体肥料供給装置を提供する。【解決手段】液体肥料を所定流量で供給する液体肥料供給装置１１における液体肥料供給器２１は、液体肥料供給器の外径より大径で、液体肥料供給器の高さより高い筒状体２２の内部に配置され、筒状体には、液体肥料供給器の上部に、筒状体を上下に仕切る仕切板２３が設けられ、仕切板の上部に液体肥料貯留部２５が設けられるとともに、仕切板には、液体肥料貯留部に貯留された液体肥料を液体肥料供給器に流下させる液体肥料流下管２６が設けられ、筒状体の外面には、液体肥料供給器から供給する液体肥料の流量を設定する流量設定部２７が設けられている。【選択図】図１
2020124163.tif 000002
【特許請求の範囲】
【請求項１】
液体肥料の供給量を設定可能な液体肥料供給器を介して供給される液体肥料と、用水供給源から供給される用水とを混合して圃場に供給する液体肥料供給装置において、前記液体肥料供給器は、該液体肥料供給器の外径より大径で、液体肥料供給器の高さより高い筒状体の内部に配置され、該筒状体には、液体肥料供給器の上部に、筒状体を上下に仕切る仕切板が設けられ、該仕切板の上部の筒状体内に液体肥料を貯留する液体肥料貯留部が設けられるとともに、前記仕切板には、液体肥料貯留部に貯留された液体肥料を前記液体肥料供給器に流下させる液体肥料流下管が設けられ、前記筒状体の外面には、前記液体肥料供給器から供給する液体肥料の流量を設定する流量設定部が設けられていることを特徴とする液体肥料供給装置。
【請求項２】
前記圃場に向けて前記用水と前記液体肥料とが混合した液体肥料混合用水を供給する液体肥料混合用水供給器を備えており、該液体肥料混合用水供給器は、前記用水供給源から前記圃場の方向に向かって配置された用水供給管と、該用水供給管の基部に設けられて前記液体肥料供給器から供給される液体肥料を用水供給管内に流入させる液体肥料供給部と、前記用水供給管の先端部及び側面の複数箇所に設けられて前記液体肥料混合用水を圃場に流出させる液体肥料混合用水供給孔とを有していることを特徴とする請求項１記載の液体肥料供給装置。
【請求項３】
前記圃場に向けて前記用水と前記液体肥料とが混合した液体肥料混合用水を供給する液体肥料混合用水供給器を備えており、該液体肥料混合用水供給器は、前記用水供給源から圃場の方向に向かって配置される用水供給管と、該用水供給管の先端から二方向に分岐して水平方向に配置される一対の分岐管と、各分岐管の先端からそれぞれ用水供給管の基部の方向に、かつ、用水供給管に沿う方向に屈曲して先端が閉塞された一対の屈曲管と、前記用水供給管の基部に設けられて前記液体肥料供給器からの液体肥料を前記用水供給管内に流入させる液体肥料供給部と、前記分岐管及び前記屈曲管にそれぞれ設けられて前記液体肥料混合用水を圃場に流出させる複数の液体肥料混合用水供給孔とを有していることを特徴とする請求項１記載の液体肥料供給装置。
【請求項４】
前記用水供給源は、前記圃場の端部に設けられた給水枡であり、前記用水供給管は、前記給水枡から前記圃場に供給される用水の流れの中央部に配置され、少なくとも一部の用水が用水供給管内に流入することを特徴とする請求項２又は３記載の液体肥料供給装置。
【発明の詳細な説明】
【技術分野】
【０００１】
本発明は、液体肥料供給装置に関し、詳しくは、圃場（水田）への流し込み施肥を行う際の液体肥料を効率よく供給するための液体肥料供給装置に関する。
【背景技術】
【０００２】
水稲栽培を行う圃場への施肥作業を行う際の施肥方法として、湛水深を低くした状態で、水口から圃場に流入する水流に乗せて肥料を施肥する流し込み施肥方法が知られている。この流し込み施肥を行う際に使用する液体肥料供給装置として、水口から圃場に流入する用水中に、一定割合の液体肥料を供給するための構造を有する液体肥料供給装置が用いられている（例えば、特許文献１参照。）。
【先行技術文献】
【特許文献】
【０００３】
【特許文献１】特開２０１７−７７２１０号公報
【発明の概要】
【発明が解決しようとする課題】
【０００４】
特許文献１に記載された液体肥料供給装置では、圃場への施肥作業を行う際に、液体肥料を貯留し、液体肥料供給装置に向けて液体肥料を供給するための液体肥料貯槽や接続パイプを別途に用意し、接続パイプを着脱する必要があり、液体肥料供給装置の設置や撤収に手間がかかり、コスト的な問題もあった。
【０００５】
そこで本発明は、液体肥料を一定量で供給できる液体肥料供給器と液体肥料貯槽や接続パイプとを一体化して作業性の向上や設備コストの低減を図ることができる液体肥料供給装置を提供することを目的としている。
【課題を解決するための手段】
【０００６】
上記目的を達成するため、本発明の液体肥料供給装置は、液体肥料の供給量を設定可能な液体肥料供給器を介して供給される液体肥料と、用水供給源から供給される用水とを混合して圃場に供給する液体肥料供給装置において、前記液体肥料供給器は、該液体肥料供給器の外径より大径で、液体肥料供給器の高さより高い筒状体の内部に配置され、該筒状体には、液体肥料供給器の上部に、筒状体を上下に仕切る仕切板が設けられ、該仕切板の上部の筒状体内に液体肥料を貯留する液体肥料貯留部が設けられるとともに、前記仕切板には、液体肥料貯留部に貯留された液体肥料を前記液体肥料供給器に流下させる液体肥料流下管が設けられ、前記筒状体の外面には、前記液体肥料供給器から供給する液体肥料の流量を設定する流量設定部が設けられていることを特徴としている。
【０００７】
さらに、本発明の液体肥料供給装置は、前記圃場に向けて前記用水と前記液体肥料とが混合した液体肥料混合用水を供給する液体肥料混合用水供給器を備えており、該液体肥料混合用水供給器は、前記用水供給源から前記圃場の方向に向かって配置された用水供給管と、該用水供給管の基部に設けられて前記液体肥料供給器から供給される液体肥料を用水供給管内に流入させる液体肥料供給部と、前記用水供給管の先端部及び側面の複数箇所に設けられて前記液体肥料混合用水を圃場に流出させる液体肥料混合用水供給孔とを有していることを特徴としている。
【０００８】
また、液体肥料混合用水供給器として、前記用水供給源から圃場の方向に向かって配置される用水供給管と、該用水供給管の先端から二方向に分岐して水平方向に配置される一対の分岐管と、各分岐管の先端からそれぞれ用水供給管の基部の方向に、かつ、用水供給管に沿う方向に屈曲して先端が閉塞された一対の屈曲管と、前記用水供給管の基部に設けられて前記液体肥料供給器からの液体肥料を前記用水供給管内に流入させる液体肥料供給部と、前記分岐管及び前記屈曲管にそれぞれ設けられて前記液体肥料混合用水を圃場に流出させる複数の液体肥料混合用水供給孔とを有していることを特徴としている。
【０００９】
さらに、前記用水供給源が、前記圃場の端部に設けられた給水枡であり、前記用水供給管は、前記給水枡から前記圃場に供給される用水の流れの中央部に配置され、少なくとも一部の用水が用水供給管内に流入することを特徴としている。
【発明の効果】
【００１０】
本発明の液体肥料供給装置によれば、液体肥料の供給量を設定可能な液体肥料供給器を、液体肥料貯留部及び液体肥料流下管と一体的に形成するとともに、外面に流量設定部を設けたので、圃場への施肥作業を効率よく行うことができ、作業性を大幅に向上させることができる。また、複数箇所に液体肥料混合用水供給孔を設けた用水供給管に液体肥料を供給することにより、用水と液体肥料とを確実に混合することができるとともに、液体肥料混合用水を圃場の全体に効果的に供給することができる。
【図面の簡単な説明】
【００１１】
【図１】本発明の液体肥料供給装置の一形態例を示す断面側面図である。
【図２】同じく平面図である。
【発明を実施するための形態】
【００１２】
図１及び図２は、本発明の液体肥料供給装置の一形態例を示している。本形態例に示す液体肥料供給装置１１は、液体肥料を供給する液体肥料供給源１２となるもので、この液体肥料供給源１２から供給される液体肥料と、用水供給源１３から供給される用水とを混合して圃場１４に供給する。用水供給源１３は、圃場１４の一辺に沿った農道１５の圃場１４側に設けられた給水枡１６であって、給水枡１６の内部には、用水供給パイプ（図示せず）からの用水の供給量を制御するための給水弁１７が設けられている。また、給水枡１６の圃場１４側には、給水用開口１８が設けられ、給水弁１７を開くことにより、用水供給パイプから供給される用水が、給水枡１６内から給水用開口１８を通って圃場１４に供給されるように形成されている。
【００１３】
圃場１４に液体肥料を供給する際には、給水枡１６に近接する農道１５に液体肥料供給装置１１を設置するとともに、給水枡１６の給水用開口１８の部分に、液体肥料混合用水供給器１９を設置し、液体肥料供給源１２と液体肥料混合用水供給器１９とを液体肥料供給管２０で接続する。
【００１４】
液体肥料供給源１２となる液体肥料供給装置１１は、液体肥料の供給量を設定可能な液体肥料供給器２１を備えている。この液体肥料供給器２１は、例えば、前記特許文献１に記載された液体肥料供給装置を使用することができる。すなわち、筒状容器２１ａの下部に液体肥料貯留槽を設け、該液体肥料貯留槽の上部に液体肥料導入孔２１ｂを設けるとともに、液体肥料貯留槽内に、液体肥料貯留槽内の液面が上昇したときに前記液体肥料導入孔を閉塞して液体肥料貯留槽内の液位を一定に保つためのフロート弁体を配置し、液体肥料貯留槽の底部に液体肥料導出管２１ｃの基端を接続し、該液体肥料導出管２１ｃの先端の高さを調節することにより、液体肥料貯留槽から液体肥料導出管２１ｃを介して導出する液体肥料の供給量を設定可能な液体肥料供給装置を、本発明の液体肥料供給器２１として使用することができる。
【００１５】
前記液体肥料供給器２１は、該液体肥料供給器２１の外径より大径で、液体肥料供給器２１の高さより高い筒状体２２の内部に配置されている。この筒状体２２の内部には、液体肥料供給器２１の上部に、筒状体２２を上下に仕切る仕切板２３が設けられており、該仕切板２３の下部に、前記液体肥料供給器２１を収容する液体肥料供給器収容部２４が形成され、仕切板２３の上部となる筒状体２２の上半部内は、所定量の液体肥料を貯留するための液体肥料貯留部２５が形成されている。さらに、前記仕切板２３には、液体肥料貯留部２５に貯留された液体肥料を液体肥料供給器２１の液体肥料導入孔に向けて流下させる液体肥料流下管２６が設けられている。これにより、液体肥料供給用の貯槽や接続パイプを別に用意して接続パイプを着脱する必要がなくなり、作業性の向上を図ることができる。
【００１６】
また、前記筒状体２２の外周面には、液体肥料供給器２１から液体肥料供給管２０への液体肥料の供給量を設定するための流量設定部２７が設けられている。この流量設定部２７は、筒状体２２の内部に、上下方向の複数箇所に接続口を有する液量設定管２８を設けたものであって、上方の３箇所の接続口は、前記液体肥料導出管２１ｃの接続口２８ａ，２８ｂ，２８ｃとなっており、最下部の接続口は、液体肥料供給管２０の接続口２８ｄとなっている。したがって、液体肥料導出管２１ｃを上方の接続口２８ａに接続すれば液体肥料の供給量を少なくでき、下方の接続口２８ｃに接続すれば液体肥料の供給量を少なくできるようになっている。
【００１７】
一方、前記液体肥料混合用水供給器１９は、基部が給水枡１６内に挿入されて先端側が給水用開口１６から圃場１３の方向に向かって配置される用水供給管２９と、該用水供給管２９の先端からＴ字状に二方向に分岐して水平方向に配置される左右一対の分岐管３０，３０と、各分岐管３０，３０の先端からそれぞれ用水供給管２９の基部の方向に、かつ、用水供給管２９に沿う方向に屈曲して先端がそれぞれ閉塞された一対の屈曲管３１，３１と、前記用水供給管２９の基部に設けられて液体肥料供給器２１からの液体肥料を用水供給管２９内に流入させる液体肥料供給管２０が接続される液体肥料供給部２９ａとを備えるとともに、前記分岐管３０，３０及び前記屈曲管３１，３１の周壁にそれぞれ設けられた複数の液体肥料混合用水供給孔３２，３２とを備えている。複数の液体肥料混合用水供給孔３２は、給水用開口１６から圃場１３への用水の流れ方向に対して平行な方向と、直交する方向とに設けられており、液体肥料混合用水供給器１９の口径や、用水の供給量、液体肥料の供給量、圃場の大きさなどの条件に応じて適宜な直径で、適数が設けられている。また、前記屈曲管３１，３１は、前記給水用開口１６より外側に位置するように設定されており、給水用開口１６から圃場１４に向かう直線方向の用水の流れが、屈曲管３１の液体肥料混合用水供給孔３２から左右方向に向かう液体肥料混合用水の流れに悪影響を与えないようにしている。
【００１８】
このように形成した液体肥料供給装置１１は、液体肥料混合用水供給器１９を所定位置に配置した後、接続口２８ｄからの液体肥料供給管２０を液体肥料供給部２９ａに接続し、用水中への液体肥料の混合割合に合わせて液体肥料導出管２１ｃを流量接続口２８ａ，２８ｂ，２８ｃのいずれかに接続し、液体肥料貯留部２５に肥料成分を溶解した液体肥料を投入することにより、液体肥料混合用水供給器１９に一定流量の液体肥料を供給することができる。この状態で給水弁１６を開くことにより、給水枡１６から圃場１４に液体肥料混合用水を供給することができる。
【００１９】
このとき、給水用開口１８から流出した用水は、流出方向に対して直交方向に配置されている分岐管３０及び両側方の屈曲管３１によって流れ方向が分散され、液体肥料混合用水供給孔３２から流出する液体肥料混合用水と共に正面方向及び左右両側方に分かれながら圃場１４に供給されていく。これにより、液体肥料が一方向に集中して流れることがなくなり、所定量の液体肥料が混合した状態の用水を圃場１４の全体にわたって平均した状態で供給することができる。
【００２０】
さらに、液体肥料供給装置１１の各部材を、合成樹脂製パイプなどの軽量材料で形成することができるので、目的とする圃場１４への運搬や設置を容易に行うことができ、一つの液体肥料供給装置１１で複数の圃場への肥料供給に容易に対応することができる。また、液体肥料供給器２１は、接続口２８ａ，２８ｂ，２８ｃへの液体肥料導出管２１ｃの接続位置によって液体肥料の供給量を設定できることから、液体肥料供給源１２を搬送車の荷台に搭載した状態のまま一定量の液体肥料を供給することができる。したがって、圃場から圃場への移動は、液体肥料混合用水供給器１９だけを移動させるだけでよく、複数の圃場への肥料供給を極めて容易に行うことができる。加えて、筒状体の外面に流量設定部となる接続口２８ａ，２８ｂ，２８ｃを設けているので、液体肥料の供給量調節も容易に行うことができる。特に、液体肥料供給器２１と液体肥料貯留部２５とを一体に設けることにより、別の液体肥料貯槽を設けたり、この液体肥料貯槽と液体肥料供給源や液体肥料供給器とを接続ホースで接続する必要がなくなる、
【００２１】
なお、用水供給源の構成は特に限定されるものではなく、用水供給路との間に堰板を介して設けたものであってもよく、水位調節のための給排水を行う機能を有するものであってもよい。
【符号の説明】
【００２２】
１１…液体肥料供給装置、１２…液体肥料供給源、１３…用水供給源、１４…圃場、１５…農道、１６…給水枡、１７…給水弁、１８…給水用開口、１９…液体肥料混合用水供給器、２０…液体肥料供給管、２１…液体肥料供給器、２１ａ…筒状容器、２１ｂ…液体肥料導入孔、２１ｃ…液体肥料導出管、２２…筒状体、２３…仕切板、２４…液体肥料供給器収容部、２５…液体肥料貯留部、２６…液体肥料流下管、２７…流量設定部、２８…液量設定管、２８ａ，２８ｂ，２８ｃ，２８ｄ…接続口、２９…用水供給管、２９ａ…液体肥料供給部、３０…分岐管、３１…屈曲管、３２…液体肥料混合用水供給孔
【図１】
2020124163.tif 000003
【図２】
2020124163.tif 000004